(57)【特許請求の範囲】
【請求項１】
プラグの栓刃が挿入される栓刃挿入口を有するコンセント本体を備えるコンセントにおいて、
前記コンセント本体には、前記コンセント本体の前面から前方に向けて突出する突状部と、前記突状部から前方に向けて突出するとともに前記突状部との接続位置を支点として弾性変形する固定部とが設けられ、
前記突状部の前面には、前記栓刃挿入口が設けられ、
前記固定部には、前記コンセント本体の前方へ向けて凹む凹所が設けられ、該凹所には、栓刃が前記栓刃挿入口に挿入された状態において、前記固定部のプラグと対向する面からプラグに向けて突出する当接部が設けられ、
プラグに設けられた突起部と前記当接部とが当接し該突起部が前記当接部を乗り越えて前記固定部の弾性変形の復元力が作用して前記突起部を固定することにより前記栓刃が前記栓刃挿入口に挿入された状態において前記栓刃挿入口から抜けることを防止することを特徴とするコンセント。
【請求項２】
請求項１に記載のコンセントにおいて、
前記固定部は、前記栓刃挿入口を覆う閉位置と前記栓刃挿入口を外部に露出させる開位置との間を回動可能である
ことを特徴とするコンセント。
【請求項３】
請求項２に記載のコンセントにおいて、
前記固定部は、前記固定部の一端が前記突状部に取り付けられるとともに、前記固定部の他端が前記固定部の一端を回動中心として、前記突状部から前方に突出した状態と前記突状部の前面に当接した状態との間で回動可能であり、
前記固定部が前記突状部の前面に当接した状態において、前記固定部の他端側の端部は前記突状部よりも他端側に突出する
ことを特徴とするコンセント。
【請求項４】
請求項１に記載のコンセントにおいて、
前記固定部は、前記コンセント本体内部に少なくとも一部が収納される収納位置と、前記コンセント本体から前記固定部の全体が前方に突出する突出位置との間をスライド可能である
ことを特徴とするコンセント。
【請求項５】
請求項１〜４のいずれか一項に記載のコンセントにおいて、
前記コンセント本体の内部には、前記栓刃挿入口を開閉する内扉が設けられる
ことを特徴とするコンセント。
【請求項６】
請求項１に記載のコンセントにおいて、
前記突状部には、少なくとも前記栓刃挿入口を前方から覆う閉位置と前記栓刃挿入口を外部に露出させる開位置との間を変位可能な外扉が設けられる
ことを特徴とするコンセント。
【請求項７】
請求項１〜６のいずれか一項に記載のコンセントにおいて、
前記突状部の前面には、後方に向けて凹む凹所が設けられ、
前記凹所の底面には、前記栓刃挿入口が設けられる
ことを特徴とするコンセント。
【請求項８】
請求項１〜７のいずれか一項に記載のコンセントにおいて、
前記コンセント本体には、前記突状部を覆うことによりコンセント本体の前面を平滑にするカバーが取り付けられる
ことを特徴とするコンセント。
【請求項９】
請求項１〜８のいずれか一項に記載のコンセントが組み込まれる充電装置であって、
当該充電装置は、バッテリを備える外部機器に対してケーブルを介して接続することにより同バッテリの充電を行う
ことを特徴とする充電装置。
【発明の詳細な説明】
【技術分野】
【０００１】
本発明は、プラグの栓刃が挿入される栓刃挿入口を有するコンセント本体を備えるコンセントおよびこれを備える充電装置に関する。
【背景技術】
【０００２】
従来、コンセントとして特許文献１に記載のものが知られている。このようなコンセントは、家屋の壁面に露出して取り付けたり、分電盤等の盤の内部に組み込まれたりするものである。
【０００３】
また、このようなコンセントは、近年では電気自動車にケーブルを介して接続されることにより電気自動車の充電を行う電気自動車充電スタンドに組み込まれることもある。
【先行技術文献】
【特許文献】
【０００４】
【特許文献１】特開２００２−１３４２１６号公報
【発明の概要】
【発明が解決しようとする課題】
【０００５】
しかしながら、上記コンセントにプラグを接続した場合、コンセントからプラグが抜けることを抑制する機構がコンセントにないため、プラグのケーブルを引っ掛ける等のプラグに不用意な力が加わったときにコンセントからプラグが抜けてしまうおそれがある。このようなコンセントからプラグが抜けてしまうことを防ぐために、コンセントの表面にプラグを固定する固定部を設けることが考えられる。
【０００６】
しかしながら、コンセントに扉体を設けた構成では、分電盤や電気自動車充電スタンドのような機器に組み込まれる場合において、固定部が組み込み機器の構成部材と干渉するおそれがあるため、組み込み機器に対するコンセントの位置決めが困難である。
【０００７】
本発明は、上記実情に鑑みてなされたものであり、その目的は、プラグが不用意に抜けることを抑制するとともに、機器に容易に組み込むことができるコンセントおよびこれを備える充電装置を提供することにある。
【課題を解決するための手段】
【０００８】
本発明のコンセントは、プラグの栓刃が挿入される栓刃挿入口を有するコンセント本体を備えるコンセントにおいて、前記コンセント本体には、前記コンセント本体の前面から前方に向けて突出する突状部と、前記突状部から前方に向けて突出するとともに前記突状部との接続位置を支点として弾性変形する固定部とが設けられ、前記突状部の前面には、前記栓刃挿入口が設けられ、前記固定部には、前記コンセント本体の前方へ向けて凹む凹所が設けられ、該凹所には、栓刃が前記栓刃挿入口に挿入された状態において、前記固定部のプラグと対向する面からプラグに向けて突出する当接部が設けられ、プラグに設けられた突起部と前記当接部とが当接し該突起部が前記当接部を乗り越えて前記固定部の弾性変形の復元力が作用して前記突起部を固定することにより前記栓刃が前記栓刃挿入口に挿入された状態において前記栓刃挿入口から抜けることを防止することを特徴とする。
【００１０】
このコンセントにおいて、前記固定部は、前記栓刃挿入口を覆う閉位置と前記栓刃挿入口を外部に露出させる開位置との間を回動可能であることが好ましい。
このコンセントにおいて、前記固定部は、前記固定部の一端が前記突状部に取り付けられるとともに、前記固定部の他端が前記固定部の一端を回動中心として、前記突状部から前方に突出した状態と前記突状部の前面に当接した状態との間で回動可能であり、前記固定部が前記突状部の前面に当接した状態において、前記固定部の他端側の端部は前記突状部よりも他端側に突出することが好ましい。
【００１１】
このコンセントにおいて、前記固定部は、前記コンセント本体内部に少なくとも一部が収納される収納位置と、前記コンセント本体から前記固定部の全体が前方に突出する突出位置との間をスライド可能であることが好ましい。
【００１２】
このコンセントにおいて、前記コンセント本体の内部には、前記栓刃挿入口を開閉する内扉が設けられることが好ましい。
このコンセントにおいて、前記突状部には、少なくとも前記栓刃挿入口を前方から覆う閉位置と前記栓刃挿入口を外部に露出させる開位置との間を変位可能な外扉が設けられることが好ましい。
【００１３】
このコンセントにおいて、前記突状部の前面には、後方に向けて凹む凹所が設けられ、
前記凹所の底面には、前記栓刃挿入口が設けられることが好ましい。
このコンセントにおいて、前記コンセント本体には、前記突状部を覆うことによりコンセント本体の前面を平滑にするカバーが取り付けられることが好ましい。
【００１４】
このコンセントを備える充電装置において、バッテリを備える外部機器に対してケーブルを介して接続することにより同バッテリの充電を行うことが好ましい。
【発明の効果】
【００１５】
本発明によれば、プラグが不用意に抜けることを抑制するとともに、機器に容易に組み込むことができるコンセントおよびこれを備える充電装置を提供することができる。
【図面の簡単な説明】
【００１６】
【図１】本発明のコンセントの一実施形態について、（ａ）および（ｂ）は同コンセントを備える充電スタンドの斜視図。
【図２】同実施形態のコンセントの斜視構造を示す斜視図。
【図３】同実施形態のコンセントについて、（ａ）は栓刃挿入口の正面構造を示す正面図、（ｂ）は、（ａ）のＡ−Ａに沿った断面構造を示す断面図、（ｃ）は、（ａ）のＢ−Ｂに沿った断面構造を示す断面図。
【図４】同実施形態のコンセントに接続されるプラグについて、（ａ）はプラグを上方から見た斜視構造を示す斜視図、（ｂ）はプラグを下方から見た斜視構造を示す斜視図。
【図５】（ａ）〜（ｃ）は、同実施形態のコンセントにプラグを接続する態様を示す模式図。
【図６】同実施形態のコンセントおよびプラグについて、（ａ）および（ｂ）は、コンセントにプラグが接続された状態において、コンセントの突起部とプラグの突起部との位置関係を示す平面図。
【図７】（ａ）および（ｂ）は、同実施形態のコンセントからプラグを抜き去る態様を示す模式図。
【図８】本発明のコンセントの第２の実施形態について、コンセントの分解斜視構造を示す斜視図。
【図９】同実施形態のコンセントについて、（ａ）はコンセントの斜視構造を示す斜視図、（ｂ）は支持板が閉位置の状態のコンセントの斜視構造を示す斜視図、（ｃ）は支持板が閉位置の状態の支持板の先端部分を拡大した拡大図。
【図１０】（ａ）〜（ｄ）は、同実施形態のコンセントにプラグを接続する態様を示す模式図。
【図１１】（ａ）〜（ｃ）は、同実施形態のコンセントからプラグを抜き去る態様を示す模式図。
【図１２】本発明のコンセントのその他の実施形態について、（ａ）は、扉体が開位置のときのコンセントの斜視構造を示す斜視図、（ｂ）は、扉体が閉位置のときのコンセントの斜視構造を示す斜視図。
【図１３】本発明のコンセントのその他の実施形態について、同コンセントの斜視構造を示す斜視図。
【図１４】本発明のコンセントのその他の実施形態について、同コンセントの斜視構造を示す斜視図。
【図１５】本発明のコンセントのその他の実施形態について、同コンセントの側面構造を示す側面図。
【図１６】本発明のコンセントのその他の実施形態について、（ａ）および（ｂ）は扉体の先端部周辺を拡大した拡大図。
【図１７】本発明のコンセントのその他の実施形態について、（ａ）は扉体が開位置のときのコンセントの斜視構造を示す斜視図、（ｂ）は扉体が閉位置のときのコンセントの斜視構造を示す斜視図。
【図１８】本発明のコンセントのその他の実施形態について、（ａ）は、支持板の分解斜視構造を示す斜視図、（ｂ）および（ｃ）はコンセントにプラグを接続する態様を示す模式図。
【図１９】比較例のコンセントの断面構造を模式的に示す模式断面図。
【発明を実施するための形態】
【００１７】
（第１の実施形態）
図１〜７を参照して、本発明のコンセントを充電スタンドに設けられるコンセントとして具体化した第１の実施形態について説明する。
【００１８】
図１に示すように、充電スタンド１は、電気自動車にケーブルを介して接続することにより、電気自動車に搭載されたバッテリに充電する充電装置である。充電スタンド１は、例えば屋外の駐車場に立設されている。
【００１９】
充電スタンド１は、縦長の直方体形状にて形成されたスタンド本体２と、スタンド本体２の所定高さの位置に設けられた横開閉式の扉３とを含む。扉３は略四角形状に形成されるとともに、図１（ａ）に示す閉位置と図１（ｂ）に示す開位置との間で開閉可能に変位する。図１（ｂ）に示すように、スタンド本体２の扉３に対応する部位には、凹所４が設けられている。凹所４を構成する奥側の壁体５の略中央部には、コンセント１０が取り付けられている。すなわちコンセント１０は、充電スタンド１に組み込まれている。
【００２０】
以降では、充電スタンド１の立設する方向である長手方向を「上下方向Ｚ」とし、充電スタンド１の短手方向を「左右方向Ｙ」とし、上下方向Ｚおよび左右方向Ｙの両方に直交する方向を「前後方向Ｘ」とする。前後方向Ｘにおいて扉３が設けられる側を「前方」とし、コンセント１０が設けられる側、すなわち充電スタンド１の奥側を「後方」とする。
【００２１】
図２および図３を参照して、コンセント１０の構成について説明する。
図２に示すように、壁体５には、コンセント１０を露出するための開口部５Ａと、開口部５Ａの周囲に４つの取付孔５Ｂとが設けられている。コンセント１０は、各取付孔５Ｂを介してねじ６によって壁体５に取り付けられる。
【００２２】
コンセント１０は、プラグ５０の栓刃５２（図４参照）が挿入される栓刃挿入口２５が前面に形成されるコンセント本体２０を含む。
コンセント本体２０には、樹脂材料を用いて成形された直方体形状のケース２１が設けられている。ケース２１内には、栓刃５２が接続されることにより栓刃５２に電力が供給される刃受部材（不図示）が収納されている。
【００２３】
ケース２１の前面２２の左右方向Ｙの中央部には、前面２２より前方に向けて突出する突状部２３が設けられている。ケース２１の前面２２の４隅には、ねじ６を固定するためのねじ穴２６がそれぞれ設けられている。突状部２３の前面２３Ａの下端部には、前面２３Ａから前方に向けて突出する固定部である支持板３０が設けられている。
【００２４】
突状部２３は、前方から見た平面視において上方が湾曲形状となるとともに下方が矩形状となるように形成されている。また突状部２３の突出量、すなわちケース２１の前面２２と突状部２３の前面２３Ａとの前後方向Ｘの距離は、壁体５の前後方向Ｘの厚さである板厚よりも若干大きい。
【００２５】
突状部２３には、突状部２３の前面２３Ａから後方に向けて凹む凹所２４が設けられている。この凹所２４は、前方から見た平面視において円形に形成されている。凹所２４の内径は、プラグ５０のプラグボディ５１（図４参照）の先端部の外径と略等しい。具体的には、凹所２４の内径は、プラグボディ５１の外径よりも若干大きい。
【００２６】
凹所２４の底面２４Ａには、栓刃挿入口２５が設けられている。栓刃挿入口２５は、左右方向Ｙに配列された電源用挿入口２５Ａと、２つの電源用挿入口２５Ａの間かつ電源用挿入口２５Ａより下方に配置された接地用挿入口２５Ｂとを含む。
【００２７】
支持板３０は、上方から見た平面視において前後方向Ｘが長手となる長方形の平板である。支持板３０の前方には、当接部である２つの当接突起部３１が左右方向Ｙに近接して配列されるように設けられている。
【００２８】
当接突起部３１は、左右方向Ｙから見た平面視において支持板３０の上面３２から上方に向けて突出する三角形状に形成されている。当接突起部３１には、後方に向かうにつれて上方に向けて傾斜する傾斜部３３と、傾斜部３３の頂部と上面３２とを連結するとともに上下方向Ｚに沿って延びる接触部３４とが設けられている。
【００２９】
図３（ａ）に示すように、コンセント本体２０（図３（ｂ）参照）内部には、電源用挿入口２５Ａを開閉するための電源用内扉４１と、接地用挿入口２５Ｂを開閉するための接地用内扉４２とが設けられている。電源用内扉４１は、各電源用挿入口２５Ａに対応して２つ設けられている。
【００３０】
図３（ｂ）および（ｃ）に示すように、同本体２０内部には、左方の電源用内扉４１を収容する第１凹部２７と、右方の電源用内扉４１を収容する第２凹部２８と、接地用内扉４２を収容する第３凹部２９とが設けられている。
【００３１】
第１凹部２７には、電源用挿入口２５Ａに向かうにつれて右方に傾斜する傾斜部２７Ａと、傾斜部２７Ａの後端部から左方に向けて延びる底部２７Ｂとが設けられている。第２凹部２８には、電源用挿入口２５Ａに向かうにつれて左方に傾斜する傾斜部２８Ａと、傾斜部２８Ａの後端部から右方に向けて延びる底部２８Ｂとが設けられている。第３凹部２９には、接地用挿入口２５Ｂに向かうにつれて下方に傾斜する傾斜部２９Ａと、傾斜部２９Ａの後端部から上方に向けて延びる底部２９Ｂとが設けられている。
【００３２】
各傾斜部２７Ａ〜２９Ａには、板ばね４３〜４５が圧縮された状態にてそれぞれ配置されている。板ばね４３〜４５は、各電源用内扉４１および接地用内扉４２が閉位置となるように、各電源用内扉４１および接地用内扉４２をそれぞれ付勢している。また底部２７Ｂ，２８Ｂには、電源用内扉４１の後端部がそれぞれ当接している。底部２９Ｂには、接地用内扉４２の後端部が当接している。
【００３３】
電源用内扉４１には、前後方向Ｘに向けて延びる基部４１Ａと、基部４１Ａの前端部から左右方向Ｙにおいて隣り合う電源用挿入口２５Ａに向けて延びる開閉部４１Ｂとが設けられている。開閉部４１Ｂには、プラグ５０の栓刃５２（図４参照）が当接する当接部４１Ｃが設けられている。当接部４１Ｃは、隣り合う電源用挿入口２５Ａに向かうにつれて後方に傾斜する傾斜面として形成されている。
【００３４】
接地用内扉４２には、前後方向Ｘに向けて延びる基部４２Ａと、基部４２Ａの前端部から上方に向けて延びる開閉部４２Ｂとが設けられている。開閉部４２Ｂには、栓刃５２が当接する当接部４２Ｃが設けられている。当接部４２Ｃは、上方に向かうにつれて後方に傾斜する傾斜面として形成されている。
【００３５】
栓刃５２の挿抜に伴う電源用内扉４１および接地用内扉４２の動作について説明する。
栓刃５２が栓刃挿入口２５に挿入される場合、各当接部４１Ｃ，４２Ｃに栓刃５２が当接する。この状態から栓刃５２を後方に向けて挿入するとき、電源用内扉４１および接地用内扉４２は、それぞれ底部２９Ａ〜２９Ｃを中心として、板ばね４３〜４５の付勢力に抗して図中の二点鎖線のように回動する。すなわち、電源用内扉４１および接地用内扉４２は、それぞれ開位置に変位する。これに伴い栓刃５２が開閉部４１Ｂ，４２Ｂよりも後方に挿通可能となる。
【００３６】
一方、栓刃５２を栓刃挿入口２５から抜き去る場合、図中の栓刃５２の後端部が開閉部４１Ｂ，４２Ｂよりも前方に向かうにつれて、板ばね４３〜４５の付勢力により電源用内扉４１および接地用内扉４２がそれぞれ閉位置に向けて変位する。そして栓刃５２の後端部が開閉部４１Ｂ，４２Ｂの前端面よりも前方に移動したときに、電源用内扉４１および接地用内扉４２は、図中の実線の閉位置にそれぞれ変位する。
【００３７】
図４を参照して、プラグ５０の構成について説明する。
図４（ａ）に示すように、プラグ５０は、前後方向Ｘに長手となる円筒形状の使用者が把持するプラグボディ５１と、プラグボディ５１から前方に向けて突出する栓刃５２と、プラグボディ５１の前端部に接続されるケーブル５３とを含む。栓刃５２は、左右方向Ｙに配列される一対の電源用栓刃５２Ａと、２つの電源用栓刃５２Ａの左右方向Ｙの間かつ栓刃５２Ａより下方に配置される接地ピン５２Ｂとを含む。電源用栓刃５２Ａは、平板形状に形成されている。接地ピン５２Ｂは丸ピン形状に形成されている。
【００３８】
プラグボディ５１の後端部の上方には、電源用栓刃５２Ａと接地ピン５２Ｂとの位置を示す位置表示部５４が設けられている。プラグボディ５１の前後方向Ｘの中央部の両側面には、使用者の指がかかる平面形状の把持部５５が設けられている。プラグボディ５１の前後方向Ｘの中央部の下方には、下方に向けて球面状に突出する突起部５６が設けられている。
【００３９】
位置表示部５４は前後方向Ｘに沿って延びる長方形状の突起である。そして位置表示部５４がプラグ５０の上方に位置する場合には、電源用栓刃５２Ａが左右方向Ｙに配列されるとともに、その下方に接地ピン５２Ｂが配置される。
【００４０】
図４（ｂ）に示すように、突起部５６は、前方に向かうにつれて下方に傾斜する傾斜部５７と、傾斜部５７の下端部から前方に向けて延びる頂部５８と、頂部５８の前端部から前方に向かうにつれて上方に傾斜する当接部５９とを含む。傾斜部５７の左右方向Ｙの中央部には、上方に向けて凹む後方凹部５７Ａが設けられている。当接部５９の左右方向Ｙの中央部には、上方に向けて凹む前方凹部５９Ａが設けられている。これら凹部５７Ａ，５９Ａは、頂部５８により区画されている。
【００４１】
後方凹部５７Ａは、後方に向かうにつれて左右方向Ｙの幅が大きくなるように傾斜する一対の後方側面５７Ｂと、後方側面５７Ｂの前端部において左右方向Ｙに後方側面５７Ｂを連結するとともに上下方向Ｚに沿って延びる連結面５７Ｃとを含む。
【００４２】
前方凹部５９Ａは、左右方向Ｙにおいて互いに対向するとともに上下方向Ｚに沿って延びる一対の前方側面５９Ｂと、前方側面５９Ｂの後端部において左右方向Ｙに前方側面５９Ｂを連結するとともに上下方向Ｚに沿って延びる当接面５９Ｃとを含む。
【００４３】
図５および図６を参照して、プラグ５０をコンセント１０に接続する態様について説明する。
図５（ａ）に示すように、使用者は、位置表示部５４が上方となるようにプラグ５０の向きを調整した後、コンセント１０に向けて移動させる。そして図５（ｂ）に示すように、プラグ５０の突起部５６と支持板３０の当接突起部３１とを当接したとき、支持板３０は、コンセント本体２０と支持板３０との接続位置ＣＰを支点として、支持板３０の前端部が下方に向けて変位するように撓む。すなわち支持板３０は、接続位置ＣＰを支点として下方に弾性変形する。この状態からプラグ５０をさらに挿入すると、図５（ｃ）に示すように、突起部５６が当接突起部３１の頂部を乗り越えた後、支持板３０は復元力の作用により上方に向けて変位する。このとき、栓刃５２が栓刃挿入口２５（図２参照）に挿入された状態となるとともにプラグ５０がコンセント１０に接続完了となる。
【００４４】
この状態において、凹所２４の内周面とプラグボディ５１の外周面との間には僅かな隙間が形成される。ここで、「僅かな隙間」とは、使用者の指が入ることができない程度に小さい隙間である。これにより、図５（ｂ）から図５（ｃ）の状態となるようにプラグ５０を挿入するときに、使用者の指が凹所２４内に入ることが抑制される。
【００４５】
図６に示すように、コンセント１０にプラグ５０が接続された状態、すなわち図５（ｃ）の状態において、当接突起部３１は、前方凹部５９Ａ内に収容される。具体的には、図６（ａ）に示すように、当接突起部３１の接触部３４は、当接面５９Ｃに当接している。加えて、図６（ｂ）に示すように、当接突起部３１は、一対の前方側面５９Ｂの左右方向Ｙの間に配置されるとともに、各前方側面５９Ｂと近接している。具体的には、前方側面５９Ｂの左右方向Ｙの幅Ｔ１は、２つの当接突起部３１の左右方向Ｙの幅Ｔ２と略等しい。詳細には、前方側面５９Ｂの幅Ｔ１は、当接突起部３１の幅Ｔ２よりも若干大きい。これにより、支持板３０は、プラグ５０を固定する。詳細には、当接突起部３１と突起部５６とが互いに固定することにより、栓刃５２が栓刃挿入口２５（図２参照）から抜けることを防止している。
【００４６】
図７を参照して、コンセント１０からプラグ５０を抜き去る態様について説明する。
図７（ａ）に示すように、使用者が支持板３０の前端部を下方に押圧する。この状態において、突起部５６と当接突起部３１との係合が概ね外された状態となる。そして使用者がプラグ５０を前方に引き抜くことにより、図７（ｂ）に示すようなコンセント１０からプラグ５０が引き抜かれた状態となる。このとき、使用者が支持板３０から指を離すと復元力により支持板３０は上方に向けて変位する。
【００４７】
本実施形態では、以下の効果を奏することができる。
（１）本実施形態では、プラグ５０がコンセント１０に接続された状態において、プラグ５０の突起部５６と支持板３０の当接突起部３１とが当接する。これにより、プラグ５０のケーブル５３を引っ掛ける等によりプラグ５０がコンセント１０から抜き去る方向に力が不用意に加わったとしても、コンセント１０からプラグ５０が抜けてしまうことを防止することができる。
【００４８】
ところで、コンセントからプラグを抜けることを防止する固定部として、栓刃を刃受部材に接続した後に所定角度回転させて栓刃に設けられた透孔に刃受部材に設けられた突起を入れ込むことにより、プラグをコンセントから抜け止めする構造が考えられる。
【００４９】
上記構造は、一般にプラグの挿抜する回数が少ない場合を想定しているため、例えばプラグを挿抜する回数が百回程度を保証するものが多い。具体的には、栓刃を挿入することにより、刃受が弾性変形されるとともに、栓刃の透孔に刃受の突起が入り込む。この刃受の弾性変形を繰り返すと、刃受部材のばね性が低下することにより、栓刃の透孔に刃受部材の突起が入らなくなってしまう。その結果、プラグの挿抜を繰り返すうちにプラグをコンセントから抜け止めする機能を果たさなくなってしまう場合がある。したがって、プラグを挿抜する回数の多い用途には不向きな構造となっていた。
【００５０】
その点、本実施形態では、支持板３０に当接突起部３１が設けられるとともに、当接突起部３１にプラグ５０の突起部５６が固定することにより、コンセント１０からプラグ５０が抜けることを防止する。これにより、上述の栓刃と刃受部材との抜け止め構造と比較して、プラグをコンセントから抜けることを防止することのできる保証回数を増大することができる。
【００５１】
また、コンセント本体２０から突状部２３が省略された構成では、壁体５と支持板３０とが干渉するおそれがあるため、壁体５に対するコンセント１０の位置決めが困難である。その点、本実施形態では、突状部２３を壁体５の開口部５Ａに挿通することにより、壁体５に対するコンセント１０の位置決めを容易に行うことができるため、壁体５と支持板３０とが干渉することを抑制することができる。したがって、コンセント１０を壁体５に容易に取り付けることができる。
【００５２】
（２）本実施形態では、突起部５６が当接突起部３１に当接したときに、支持板３０は接続位置ＣＰを中心として下方に向けて撓む。これにより、当接突起部３１が突起部５６に対して離れる方向に向かい変位する。したがって、突起部５６が当接突起部３１を容易に乗り越えることができるため、プラグ５０のコンセント１０への挿入作業を容易に行うことができる。
【００５３】
加えて、プラグ５０がコンセント１０に接続された状態において、使用者が指にて支持板３０を下方に向けて押圧することにより、支持板３０が接続位置ＣＰを支点として下方に撓む。これにより、支持板３０の当接突起部３１がプラグ５０の突起部５６から離れる方向に向けて移動するため、プラグ５０をコンセント１０から抜き去るときに当接突起部３１と突起部５６が互いに干渉することを抑制することができる。これにより、支持板３０に当接突起部３１が突起部５６から離れる方向に向けて移動するための専用の機構を設けることを省略することができるため、支持板３０の簡単化を図ることができる。
【００５４】
（３）本実施形態では、プラグ５０がコンセント１０に接続されていないときに電源用内扉４１および接地用内扉４２が栓刃挿入口２５をそれぞれ覆う。したがって、虫等の異物が栓刃挿入口２５を介してコンセント１０内部に侵入することを抑制することができる。
【００５５】
（４）本実施形態では、突状部２３の内部に凹所２４が設けられることにより、使用者がプラグ５０をコンセント１０に接続するときに使用者の手が凹所２４内に入ることを抑制することができる。
【００５６】
（５）本実施形態では、突状部２３が壁体５の開口部５Ａに挿通することにより、壁体５に対するコンセント１０の位置決めを行う。すなわち、開口部５Ａは、コンセント１０の位置決めを行うことと、栓刃挿入口２５を外部に露出することの両方の役割を果たしている。したがって、壁体５に突状部２３を挿通するための専用の開口穴を省略することができるため、壁体５の形状の簡単化を図ることができる。
【００５７】
（６）本実施形態では、前方から見た平面視において突状部２３の上方が湾曲形状となるとともに下方が矩形状となるように形成されている。すなわち突状部２３の形状が上下非対称に形成されている。これにより、上下方向Ｚにおいてコンセント１０の向きを容易に視認することができる。したがって、作業者がコンセント１０を壁体５に取り付ける作業を容易に行うことができる。
【００５８】
（７）本実施形態では、コンセント１０にプラグ５０が接続された状態において、プラグ５０の突起部５６の前方凹部５９Ａに支持板３０の当接突起部３１が収容される。これにより、プラグ５０の左右方向Ｙへの移動を規制することができる。
【００５９】
（８）本実施形態によれば、プラグ５０に位置表示部５４が設けられることにより、栓刃５２の配置位置を確認することができる。これにより、作業者が直接栓刃５２を見ることにより、栓刃５２の配置位置を確認する作業を省略することができる。
【００６０】
（第２の実施形態）
図８〜図１１を参照して、本発明のコンセントを充電スタンドに設けられるコンセントとして具体化した第２の実施形態について説明する。本実施形態では、第１の実施形態と比較して、支持板３０が回動可能となる点にて異なる。以下、第１の実施形態との相違点を中心に説明する。また、同一構成には同一符号を付し、その説明を省略する。
【００６１】
図８および図９を参照して、コンセント１０の構成について説明する。
図８に示すように、突状部２３の前面２３Ａの下端部には、前面２３Ａから前方に向けて突出する支持部２１Ａが設けられている。この支持部２１Ａには、支持板開閉機構６０が取り付けられている。
【００６２】
支持板開閉機構６０は、支持部２１Ａを左右方向Ｙに向けて貫通する貫通孔２１Ｂに挿入されるシャフト６１と、シャフト６１と支持板３０との間に係合されるつるまきばね（以下、「ばね部材６２」）とを含む。
【００６３】
固定部である支持板３０の左右方向Ｙの中央部には、下方に向けて凹む凹所７１が設けられている。凹所７１は、前後方向Ｘに向けて延びるとともに、後方の部位の左右方向Ｙの幅が前方の部位の左右方向Ｙの幅よりも大きくなるように形成されている。また凹所７１の前方の底面７１Ａには、当接部である当接突起部３１が設けられている。
【００６４】
支持板３０の前端部には、湾曲凹部７２が設けられている。湾曲凹部７２は、同凹部７２の左右方向Ｙの内部かつ前方に向かい下方に向けて湾曲状に凹む形状にて形成されている。
【００６５】
支持板３０の後端部には、シャフト６１を挿通する一対のシャフト挿通部７３が左右方向Ｙにおいて凹所７１を挟むように設けられている。
支持板３０は、図９（ａ）に示すようにプラグ５０の突起部５６に当接突起部３１を係合させるための第２の位置と図９（ｂ）に示すように支持板３０の表面が突状部２３の前面２３Ａと当接する第１の位置との間を変位可能である。すなわち、支持板３０は、シャフト６１を回動中心として開位置と閉位置との間を回動可能となる。以降では、支持板３０の回動方向を「開閉方向Ｗ」とし、支持板３０が開く方向を「開方向」とし、支持板３０が閉じる方向を「閉方向」とする。
【００６６】
図９（ｃ）に示すように、支持板３０が閉位置において支持板３０の支持部２１Ａに取り付けられる一端に対して支持板３０の一端を回動中心として支持板３０が移動可能である他端である先端部７４は、突状部２３の他端部よりも他端側に突出している。すなわち支持板３０が閉位置において支持板３０の上端部は、突状部２３の上端部よりも上方に突出している。
【００６７】
図１０を参照して、プラグ５０をコンセント１０に接続する態様について説明する。なお、図１０では、コンセント１０の内部構造を省略して示すとともに、扉体３１のみを断面構造として示している。また、プラグ５０のケーブル５３を省略して示している。
【００６８】
図１０（ａ）に示すように、支持板３０が閉位置の状態から使用者が支持板３０を開位置となるように変位させる（以下、「開操作」）。この支持板３０の状態において、図１０（ｂ）に示すように、プラグ５０の突起部５６が支持板３０の凹所７１に収容するようにプラグ５０を支持板３０に当接させる。
【００６９】
この状態において、栓刃５２は栓刃挿入口２５（図３参照）に対して前後方向Ｘに対応した位置に配置される。具体的には、接地ピン５２Ｂの先端部は、接地用挿入口２５Ｂ（図３参照）に挿入された状態となる。一方、電源用栓刃５２Ａは、電源用挿入口２５Ａ（図３参照）よりも前方に配置されている。そしてこの状態において、プラグ５０を後方に向けて挿入すると、栓刃５２は栓刃挿入口２５に挿入される。
【００７０】
加えて、突起部５６の左右方向Ｙの幅と凹所７１の当接突起部３１よりも前方の部位の左右方向Ｙの幅とは略等しい。具体的には、凹所７１の上記部位の幅は、突起部５６の幅よりも若干大きい。これにより、突起部５６が凹所７１に収容された状態において、プラグ５０が支持板３０に対して左右方向Ｙに移動しようとしたとき、突起部５６が凹所７１の左右方向Ｙの側面に接触する。その結果、プラグ５０の支持板３０に対する左右方向Ｙの移動が規制される。
【００７１】
図１０（ｃ）に示すように、プラグ５０を後方に移動させて、突起部５６と支持板３０の当接突起部３１とを当接させることにより、支持板３０は図１０（ａ）に示す開位置よりも開方向の位置となるように回動される。図１０（ｄ）に示すように、突起部５６が当接突起部３１の頂部を乗り越えた後、支持板３０はばね部材６２（図８参照）の付勢力により閉方向に向かい回動するとともにプラグボディ５１に当接突起部３１が当接した状態にて回動が停止する。このとき、栓刃５２が栓刃挿入口２５（図２参照）に挿入された状態となるとともにプラグ５０がコンセント１０に接続完了となる。
【００７２】
図１１を参照して、コンセント１０からプラグ５０を抜き去る態様について説明する。なお、図１１では、コンセント１０の内部構造を省略して示すとともに、扉体３１のみを断面構造として示している。また、プラグ５０のケーブル５３を省略して示している。
【００７３】
図１１（ａ）に示すように、使用者が支持板３０を開方向に移動させる。この状態において、突起部５６と当接突起部３１との係合が外された状態となる。そして図１１（ｂ）に示すように、使用者がプラグ５０を前方に引き抜くことにより、図１１（ｃ）に示すようなコンセント１０からプラグ５０が引き抜かれた状態となる。このとき、使用者が支持板３０から指を離すとばね部材６２（図８参照）の付勢力により支持板３０は閉位置となるように回動する。
【００７４】
本実施形態によれば、第１の実施形態の効果（１）〜（８）に加えて、以下の効果を奏することができる。
（９）本実施形態では、支持板３０が閉位置と開位置との間を回動可能であるため、プラグ５０をコンセント１０に挿入していない場合、支持板３０を折りたたむことができる。したがって、支持板３０に不用意な外力が加わることにより支持板３０が破損することを抑制することができる。
【００７５】
（１０）本実施形態では、支持板３０が閉位置にあるとき、支持板３０の先端部７４が突状部２３よりも上方（遠心側）に突出するため、使用者が開操作するときに、使用者の指を先端部７４に引っ掛けやすくなる。したがって、使用者が開操作を容易に行うことができる。
【００７６】
（１１）本実施形態では、支持板３０の先端部７４に湾曲凹部７２が設けられる。これにより、使用者の指が湾曲凹部７２に引っ掛けやすくなる。したがって、使用者が開操作を一層容易に行うことができる。
【００７７】
（１２）本実施形態では、支持板３０に凹所７１が設けられている。したがって、コンセント１０にプラグ５０を挿入するときにプラグ５０の突起部５６が凹所７１に収容されることにより、栓刃挿入口２５に対する栓刃５２の左右方向Ｙの位置決めを行うことができる。
【００７８】
（１３）本実施形態では、シャフト６１が突状部２３の前面２３Ａよりも前方に位置している、すなわち支持板３０の回動の中心が突状部２３よりも前方に位置している。これにより、支持板３０の表面が突状部２３の前面２３Ａと当接するための専用の形状を省略することができる。したがって、支持板３０の形状の簡単化を図ることができる。
【００７９】
（１４）図１９に示すように、コンセント本体１１０に突状部が設けられていない場合、コンセント１００の壁体５に対する位置決めを行うことが困難である。したがって、コンセント１００を壁体５の所望の取付位置に対して上方にずれた位置に取り付けた場合、支持板１２０が壁体５に接触してしまう。その結果、コンセント１００が壁体５に組み付けられた状態におけるコンセント１００の美観が低下してしまう。
【００８０】
また、コンセント１００を壁体５の所望の取付位置に対して下方にずれた位置に取り付けた場合、コンセント１００において支持板１２０を回動する中心となる取付部１３０が壁体５と接触してしまう。その結果、支持板１２０が閉位置から開位置に向けて回動することができなくなる。
【００８１】
その点、本実施形態では、突状部２３により、充電スタンド１の壁体５に対するコンセント１０の位置決めを行うため、コンセント１０を壁体５の所望の取付位置に容易に位置決めすることができる。これにより、壁体５に対するコンセント１０の位置ずれを抑制することができる。その結果、コンセント１０が壁体５に組み付けられた状態におけるコンセント１０の美観の低下を抑制することができる。
【００８２】
加えて、コンセント１０が壁体５に対して位置決めされるため、支持部２１Ａおよびシャフト挿通部７３を壁体５の開口部５Ａ内に配置することができる。したがって、支持部２１Ａおよびシャフト挿通部７３が壁体５と接触することにより、支持板３０が閉位置から開位置に向けて回動することができなくなることを抑制することができる。
【００８３】
（その他の実施形態）
本発明のコンセントは、上記各実施形態に限定されることなく、例えば以下の変更が可能である。また、以下の変形例は、上記各実施形態についてのみ適用されるものでなく、異なる変形例同士を互いに組み合わせて実施することもできる。
【００８４】
第１の実施形態では、電源用内扉４１および接地用内扉４２により、電源用挿入口２５Ａおよび接地用挿入口２５Ｂをそれぞれ開閉可能としたが、電源用挿入口２５Ａおよび接地用挿入口２５Ｂをそれぞれ開閉する機構はこれに限定されることはない。例えば、図１２に示すように、扉体開閉機構８０をコンセント本体２０に取り付けることもできる。扉体開閉機構８０は、栓刃挿入口２５および凹所２４を開閉する矩形状の外扉８１と、外扉８１の回動の中心軸となるシャフト８２と、外扉８１を付勢するつるまきばね（不図示）とを含む。外扉８１は、図１２（ａ）に示す栓刃挿入口２５および凹所２４を外部に露出する開位置と、図１２（ｂ）に示す栓刃挿入口２５および凹所２４を覆う閉位置との間を回動可能である。またつるまきばねは、外扉８１を閉位置に向けて付勢している。
【００８５】
第１の実施形態では、コンセント１０を充電スタンド１の壁体５に組み付ける態様であったが、コンセント１０の使用態様はこれに限定されることはない。例えば、家屋の壁面に固定される露出コンセントとしても使用することができる。この場合、図１３に示すように、コンセント本体２０の前面にカバー９０がねじ（不図示）により取り付けられる。カバー９０には、突状部２３と嵌合する開口部９１が設けられている。カバー９０がコンセント本体２０に取り付けられた状態において、突状部２３の前面２３Ａとカバー９０の前面とが平滑になっている。すなわち、コンセント１０の前面が平滑になっている。ここで、突状部２３の前面２３Ａとカバー９０の前面とが平滑とは、突状部２３の前面２３Ａとカバー９０の前面とが一様に滑らかに連続していればよく、前後方向Ｘに多少ずれていてもよい。また、このカバー９０は、第２の実施形態のコンセント１０にも適用することもできる。
【００８６】
これにより、コンセント１０を露出コンセントとして使用した場合のコンセント１０の美観を向上することができる。加えて、コンセント１０のコンセント本体２０および支持板３０を共通部品として、機器組み込みとしてのコンセントと、露出コンセントとを兼用することができる。これにより、機器組み込みとしてのコンセントと、露出コンセントとを各別の専用部品としてコンセント本体２０および支持板３０を形成する場合と比較して、専用部品のための金型を省略することができる。その結果、製造コストの低減を図ることができる。
【００８７】
また、突状部２３の前面２３Ａとカバー９０の前面とは面一とすることもできる。これにより、コンセント１０を露出コンセントして使用した場合のコンセント１０の美観を一層向上することができる。
【００８８】
またカバー９０のコンセント１０への取付態様はねじに限定されることはない。例えば、カバー９０に係合爪を設けるとともにコンセント本体２０に係合凹部を設けた上で、係合爪と係合凹部とを係合することによりカバー９０をコンセント本体２０に取り付けることもできる。
【００８９】
第１の実施形態において、図１４に示すように、ケース２１から凹所２４を省略することもできる。この場合、栓刃挿入口２５は突状部２３の前面２３Ａに形成される。また、この構成は、第２の実施形態のコンセント１０にも適用することができる。
【００９０】
第２の実施形態では、シャフト６１を回動中心として支持板３０が回動可能としたが、支持板３０の変位態様はこれに限定されることはない。例えば、図１５に示すように、支持板３０は、前後方向Ｘにスライド可能に変位することもできる。具体的には、支持板３０は、コンセント本体２０内部に収容される収納位置と、コンセント本体２０よりも前方に支持板３０の全てが突出する突出位置との間をスライドする。この場合、プラグ５０をコンセント１０に接続していない状態では、支持板３０を収納位置とし、プラグ５０をコンセント１０に接続しようとするときに支持板３０を突出位置とする。なお、支持板３０をスライドさせる機構としては、既知のものを用いる。また上記機構として、例えば、収納位置において、支持板３０がコンセント本体２０内部に収容されることを解除するボタンを押操作することにより、自動的に支持板３０が突出位置に移動することも考えられる。また、図１５では、収納位置として支持板３０の全体がコンセント本体２０内部に収納されたが、支持板３０の一部が収納される位置を収納位置とすることもできる。
【００９１】
第２の実施形態において、支持板３０から凹所７１を省略することもできる。この場合、支持板３０の表面は平面形状に形成される。
第２の実施形態では、支持板３０の先端部７４は、上下方向Ｚに沿って延びる形状であったが、先端部７４の形状はこれに限定されることはない。例えば、図１６（ａ）に示すように、支持板３０が閉位置において、先端部７４には、前方に向けて延びる先端突出部７５を設けることもできる。またこの先端突出部７５は、図１６（ｂ）に示すように、前方に向かうにつれて上方に向けて傾斜する形状とすることもできる。このような形状にすることにより、支持板３０に対して使用者の指を一層引っ掛けやすくなるため、使用者が開操作を一層容易に行うことができる。
【００９２】
第２の実施形態では、支持板３０の先端部７４が突状部２３より上方に突出したが、先端部７４は突状部２３と上下方向Ｚにおいて同位置または下方となるように設けることもできる。
【００９３】
第２の実施形態では、支持板３０が凹所２４の一部を覆う構成であったが、図１７に示すように、支持板３０として、凹所２４の全体を覆う構成とすることもできる。すなわち支持板３０は、外扉としての役割を果たす。この場合、図１７（ｂ）に示すように、支持板３０が閉位置のときに支持板３０は、突状部２３の前面２３Ａにおける凹所２４の周縁に当接する。これにより、支持板３０により凹所２４が覆われるため、支持板３０が閉位置のときに凹所２４内および栓刃挿入口２５を介してコンセント本体２０内部に異物が侵入することを抑制することができる。加えて、コンセント本体２０内部の電源用内扉４１および接地用内扉４２と板ばね４３〜４５を省略することができる。
【００９４】
第２の実施形態では、図８に示すように、突状部２３の下端部に支持部２１Ａが設けられることにより、支持板３０は支持部２１Ａに取り付けられたシャフト６１を回動中心として回動する構成であったが、支持板３０の回動する構成はこれに限定されることはない。例えば、突状部２３の上端部に支持部２１Ａが設けられることにより、支持板３０が支持部２１Ａに取り付けられたシャフト６１を回動中心として回動することもできる。すなわち支持板３０の一端が上端部となり、支持板３０の他端が下端部となる。
【００９５】
第２の実施形態では、図９に示すように、支持板３０は突状部２３の前面２３Ａに設けられたが、支持板３０は突状部２３の左右方向Ｙの両側面の少なくとも一方に設けることができる。
【００９６】
上記各実施形態では、支持板３０が下方に撓むことにより、または支持板３０が閉方向に回動することにより当接突起部３１が突起部５６から離れる構成であったが、当接突起部３１が突起部５６から離れる構成はこれに限定されることはない。例えば、図１８に示すように、当接突起部３１が支持板３０に対して上下方向Ｚに変位可能な構成とすることもできる。具体的には、図１８（ａ）に示すように、支持板３０の前方の部位には、下方に向けて凹む凹所７６が設けられている。この凹所７６には、当接突起部３１が設けられた可動部材３５と可動部材３５を上方に向けて付勢するコイルばね３６とが収容されている。可動部材３５の上方には、可動部材３５の上方への移動を規制する枠体状のカバー部材３７がねじ３８によって支持板３０に固定されている。このとき、コイルばね３６は圧縮された状態にて収容されている。これにより、プラグ５０がコンセント１０に挿入される前の状態においては、可動部材３５がカバー部材３７に当接した状態にて維持されている。
【００９７】
図１８（ｂ）に示すように、プラグ５０をコンセント１０に挿入する場合において、プラグ５０の突起部５６が支持板３０の当接突起部３１に当接するとき、コイルばね３６の付勢力に抗して可動部材３５は下方に向けて移動する。この状態において、プラグ５０を後方に向けて移動させることにより、突起部５６が当接突起部３１を乗り越える。その後、図１８（ｃ）に示すように、コイルばね３６の付勢力により、可動部材３５は上方に向けて移動する。その結果、プラグ５０の前方凹部５９Ａ（図４参照）に当接突起部３１が収容される。これにより、プラグ５０は支持板３０に固定される。
【００９８】
上記各実施形態において、電源用内扉および接地用内扉がプラグ５０の栓刃５２が当接することに伴い回動することにより、栓刃挿入口２５を開閉する構成であれば、他の構成を用いることもできる。
【００９９】
上記各実施形態では、図２に示すように、前方から見た平面視において、突状部２３は、上方が湾曲形状であるとともに下方が矩形状となるように形成されたが、突状部２３の形状はこれに限定されることはない。例えば、前方から見た平面視において、突状部２３は矩形状（図１２参照）または円形状に形成することもできる。要するに、突状部２３は壁体５の開口部５Ａに挿通することにより、コンセント１０に対する壁体５の位置決めができる形状であればよい。
【０１００】
上記各実施形態では、図１に示すように、突状部２３が壁体５の開口部５Ａに挿通することにより、コンセント１０に対する壁体５の位置決めを行ったが、突状部２３はこれに限定されることはない。例えば、壁体５の開口部５Ａとは別のところに突状部が挿通するための貫通孔を形成し、その貫通孔と対応するコンセント本体２０の前面の位置に突状部を設けることもできる。
【０１０１】
上記実施形態では、図２に示すように、コンセント本体２０の前面が充電スタンド１の壁体５に固定されたが、コンセント本体２０の壁体５に対する取付態様はこれに限定されることはない。例えば、コンセント本体２０の後面または側面を壁体５に固定することもできる。このような場合においては、図１３に示すカバー９０をコンセント本体２０に取り付けることにより、コンセント１０の美観性を向上することができる。
【０１０２】
上記実施形態では、図１に示すように、コンセント１０を充電スタンド１に組み付けたが、コンセント１０の適用はこれに限定されることはない。例えば、家屋等の建物の屋外側の壁面にコンセント１０を取り付けることもできる。
【０１０３】
また、上記壁面に取り付けられた制御盤にコンセント１０を組み付けることもできる。また、コンセント本体および固定部（支持板）を有するコンセントにおいてコンセント本体に栓刃挿入口が前面に形成されるとともに固定部が設けられた突状部が設けられる構成であれば、充電スタンド１に限定されない。コンセント１０の前面側をパネル等に取り付けることにより組み込みを行う機器であれば、第１の実施形態の効果（１）と同様の効果を奏することができる。
【０１０４】
上記実施形態では、充電装置として、電気自動車にケーブルを介して接続することにより、電気自動車のバッテリに充電する充電スタンド１として具体化したが、充電装置の種類はこれに限定されることはない。バッテリを備える外部機器にケーブルを介して接続することにより、同バッテリに充電する装置であれば、他の装置にも適用することができる。
【符号の説明】
【０１０５】
１０…コンセント、２０…コンセント本体、２３…突状部、２３Ａ…前面、２４…凹所、２５…栓刃挿入口、３０…支持板（固定部）、３１…当接突起部（当接部）、３２…上面（プラグと対向する固定部の面）、４１…電源用内扉（内扉）、４２…接地用内扉（内扉）、５０…プラグ、５２…栓刃、５６…突起部、７４…先端部（扉体の他端側の端部）、８１…外扉、９０…カバー、ＣＰ…接続位置（支持板とコンセント本体との接続位置）。
【図１】
0005891385.tif 000002
【図２】
0005891385.tif 000003
【図３】
0005891385.tif 000004
【図４】
0005891385.tif 000005
【図５】
0005891385.tif 000006
【図６】
0005891385.tif 000007
【図７】
0005891385.tif 000008
【図８】
0005891385.tif 000009
【図９】
0005891385.tif 000010
【図１０】
0005891385.tif 000011
【図１１】
0005891385.tif 000012
【図１２】
0005891385.tif 000013
【図１３】
0005891385.tif 000014
【図１４】
0005891385.tif 000015
【図１５】
0005891385.tif 000016
【図１６】
0005891385.tif 000017
【図１７】
0005891385.tif 000018
【図１８】
0005891385.tif 000019
【図１９】
0005891385.tif 000020